Podtech/llm-jp-corpus-v4-ja_patent huggingface dataset:
(57)【要約】      （修正有）【課題】汁物等をすくうお玉の外面に付いた食材をスムーズに落下させる、滴落ち付きお玉を提供する。【解決手段】お玉１の外面に、滴落ち手段として複数の凸部２を設ける。凸部２は、お玉１の外面上縁５から外面中心６に向かって縦線状になっている。凸部２が集まる外面中心６に突起３を設ける。お玉１の外面に付いた汁物等の食材は凸部２を伝って外面中心６に集まり、突起３から落下する。突起３は食材を、より奇麗に落下させる。【選択図】図１
2019166296.tif 000002
【特許請求の範囲】
【請求項１】
みそ汁やカレー等の汁物等をすくうお玉に、滴落ち手段を設けたことを特徴とする滴落ち付きお玉。
【請求項２】
前記滴落ち手段を、前記お玉の上部から下部に向けて筋状または線状または溝状に設けたことを特徴とする請求項１記載の滴落ち付きお玉。
【発明の詳細な説明】
【技術分野】
【０００１】  本発明は、みそ汁やカレー等をすくうお玉に関するものである。
【背景技術】
【０００２】  従来、みそ汁やカレー等の汁物等をすくう時はお玉を使っていた。
【発明の概要】
【発明が解決しようとする課題】
【０００３】  特にカレー等の粘り気のある物では、お玉の外面に付いた食材が外面全体からゆっくりといつまでも滴り落ちるので、落ち切るのを待たずに皿に移そうとすると調理台等に垂らしてしまい厄介であった。
本発明は、以上の問題点を解決するためになされたものである。
【課題を解決するための手段】
【０００４】  みそ汁やカレー等の汁物等をすくうお玉に、お玉の外面に付いた汁物等の食材を、お玉の外面下部または外面中心から集中的に落下するように滴落ち手段を設けたものである。【０００５】  また、お玉に、お玉の外面に付いた汁物等の食材をスムーズに落下し易くするための滴落ち手段を設けたものである。【０００６】  前記滴落ち手段を、お玉の縁からお玉の外面中心に向けて筋状または線状に設けたものである。
前記滴落ち手段が凹状または凸状または凹凸状のものである。
【発明の効果】
【０００７】  お玉の外面に付いたみそ汁やカレー等の汁物等の食材が、お玉の外面下部または外面中心からまとまってスムーズに落下するので、忙しい調理時に便利である。【０００８】  また、まとまった箇所から落下するので、どこから落ちるかが分かり易く調理台等を汚すこともない。
【図面の簡単な説明】
【０００９】
【図１】  本発明の実施例１の側面図
【図２】  実施例１の底面図
【図３】  本発明の実施例２の側面図
【図４】  本発明の実施例３の側面図
【図５】  本発明の実施例４の側面図
【図６】  本発明の実施例５の平面図
【図７】  本発明の実施例６の側面図
【発明を実施するための形態】
【００１０】  以下、本発明の幾つかの実施の形態を図１〜図７に基づいて説明する。
【実施例１】
【００１１】  図１、図２において、お玉１の外面に、滴落ち手段として複数の凸部２を設ける。【００１２】  凸部２は、お玉１の外面上縁５から外面中心６に向かって縦線状になっている。【００１３】  凸部２が集まる外面中心６に突起３を設ける。【００１４】  お玉１の外面に付いた汁物等の食材は凸部２を伝って外面中心６に集まり、突起３から落下する。
突起３は食材を、より奇麗に落下させる。
【実施例２】
【００１５】  図３において、上縁が波形状のお玉１の外面に、滴落ち手段として複数の凸部２を設ける。【００１６】  凸部２は、お玉１の外面上縁５から外面中心７に向かって縦筋状になっている。【００１７】    凸部２が集まる外面中心６に突起３を設ける。【００１８】  なお、突起３を設けないものでもよい。
【実施例３】
【００１９】  図４において、上縁が凹凸形状のお玉１の外面に、滴落ち手段として複数の凸部２を設ける。【００２０】  凸部２はお玉１の外面上縁５の凹部分から外面中心６に向かって線状になっている。【００２１】  凸部２が集まる外面中心６に突起３を設ける。【００２２】  なお、凸部２をお玉１の上縁の凸部分の方に設けても良い。
【実施例４】
【００２３】  図５において、上縁が凹凸形状のお玉１の外面に、滴落ち手段として複数の凹部７を設ける。
凹部７は、お玉１の外面上縁５の凹部分から外面中心６に向かって縦溝状に設ける。【００２４】  お玉１の外面に付いた汁物等の食材は、凹部７を伝って外面中心６に集まり落下する。【００２５】  なお、凹部７をお玉１の上縁の凸部分の方に設けてもよい。
【実施例５】
【００２６】  図６において、お玉１の外面全体に、滴落ち手段として波状の凹凸部８を設ける。
凹凸部８はお玉１の外面上縁５から外面中心６に向かって縦筋状になっている。
凹凸部８が集まる外面中心６に突起３（図示せず）を設ける。
【実施例６】
【００２７】  図７において、お玉１に、滴落ち手段として複数の凹凸９を設ける。
凹凸９は、お玉１の外面上縁５から外面中心６に向かって縦線状になっている。【００２８】  以上、幾つかの実施例を説明したが上記実施例に限らず、凸部や凹部や凹凸部や凹凸等の数は幾つでもよい。【００２９】  また、滴落ち手段の形状もどのようなものでもよく、設ける位置もどのような所でもよく、内面だけに設けても内外面両面に設けてもよい。
【符号の説明】
【００３０】１    お玉
２    凸部
３    突起
４    持ち手
５    外面上縁
６    外面中心
７    凹部
８    凹凸部
９    凹凸
１０  お玉本体
【図１】
2019166296.tif 000003
【図２】
2019166296.tif 000004
【図３】
2019166296.tif 000005
【図４】
2019166296.tif 000006
【図５】
2019166296.tif 000007
【図６】
2019166296.tif 000008
【図７】
2019166296.tif 000009
(57)【要約】【課題】この発明により、特に水回りの設備や用品の角部の頑固な汚れを落とす汚れ落し具を提供する。【解決手段】  角部の汚れを落とすための汚れ落し具であって、この汚れ落し具は、板状の本体部と、この本体部の外周に設けられた汚れ落し部から構成され、この汚れ落し部は端部に向かって板厚を漸減させ、清掃しようとする角部の形状に合わせた複数の汚れ落し部を有することを特徴とする汚れ落し具。【選択図】図１
2019166292.tif 000002
【特許請求の範囲】
【請求項１】
角部の汚れを落とすための汚れ落し具であって、この汚れ落し具は、板状の本体部と、この本体部の外周に設けられた汚れ落し部から構成され、この汚れ落し部は端部に向かって板厚を漸減させ、清掃しようとする角部の形状に合わせた複数の汚れ落し部を有することを特徴とする汚れ落し具。
【請求項２】
請求項１の汚れ落し具の本体部は略円形とし、汚れ落し部は、本体部の外周から径方向の外方に延在させたことを特徴とする汚れ落し具。
【請求項３】
請求項１又は請求項２の汚れ落し具の、汚れ落し部は、先端を略円形にしたことを特徴とする汚れ落し具。
【請求項４】
請求項１乃至請求項３の何れかの汚れ落し具の汚れ落し部の先端を平らにしたことを特徴とする汚れ落し具。
【発明の詳細な説明】
【技術分野】
【０００１】  この発明は、台所、浴室、洗面所、トイレ等の特に水回りの設備や用品の頑固な汚れを落とす汚れ落し具に関する。
【背景技術】
【０００２】  従来、これら、特に水回りの設備や用品はたわしやブラシを用いて汚れを落としていたが、これらのたわしやブラシは、角部まで十分届かず、茶色い汚れが石のように固くなって蓄積していた。
【先行技術文献】
【特許文献】
【０００３】
【特許文献１】特開２００４−１０５７４４号
【特許文献２】特開２００３−１８０５９０号
【発明の概要】
【発明が解決しようとする課題】
【０００４】  例えば、特許文献１に示すように、直方体のたわしが用いられていた。このようなたわしは、図５の従来技術のように角部に届かず、洗い残しが生じ、茶色い汚れが蓄積して不潔な感じを与えていた。【０００５】  また、特許文献２のように先端にブラシを用いた従来技術でも、図５に示すように角部や隙間部にブラシが届かず、洗い残しが生じていた。これらの汚れが蓄積すると石のように固くなり、通常のたわしやブラシでは取れなくなる問題もあった。このような固い汚れは、金属の様に固いもので削り落とすことも考えられるが、そうすると設備や用品に傷が付く問題があった。
【課題を解決するための手段】
【０００６】  角部の汚れを落とすための汚れ落し具であって、この汚れ落し具は、板状の本体部と、この本体部の外周に設けられた汚れ落し部から構成され、この汚れ落し部は端部に向かって板厚を漸減させ、清掃しようとする角部の形状に合わせた複数の汚れ落し部を有することを特徴とする汚れ落し具。
【発明の効果】
【０００７】  この発明により上記の問題点を解決し、特に水回りの設備や用品の角部の汚れを落とす汚れ落し具を提供することができる。
【図面の簡単な説明】
【０００８】
【図１】第一の実施例の汚れ落し具の平面図とＡＡ断面図である。
【図２】第一の実施例の汚れ落し具の六面図である。底面図は平面図と対称に表れる。
【図３】第二の実施例の汚れ落し具の六面図である。底面図は平面図と対称に表れる。
【図４】第三の実施例の汚れ落し具の平面図である。
【図５】従来技術と本発明の効果を説明する断面図である。
【発明を実施するための形態】
【０００９】  角部の汚れを落とすための汚れ落し具であって、この汚れ落し具は、板状の本体部と、この本体部の外周に設けられた汚れ落し部から構成され、この汚れ落し部は端部に向かって板厚を漸減させ、清掃しようとする角部の形状に合わせた複数の汚れ落し部を有することを特徴とする汚れ落し具。
【００１０】  上記の汚れ落し具の本体部は略円形とし、汚れ落し部は、本体部の外周から径方向の外方に延在させたことを特徴とする汚れ落し具。
上記の汚れ落し具の、汚れ落し部は、先端を略円形にしたことを特徴とする汚れ落し具。
上記の何れかの汚れ落し具の汚れ落し部の先端を平らにしたことを特徴とする汚れ落し具。
【実施例】
【００１１】  図１、図２により第一の実施例の汚れ落し具を説明する。この汚れ落し具１０は主として水回りの角部の汚れを落とすための汚れ落し具であって、汚れ落し具１０は、板状の本体部２０と、この本体部２０の外周に設けられた汚れ落し部３０から構成されている。汚れ落し具１０は、全体が硬質のプラスチックで一体に形成されている。材料としては、例えばＡＢＳやＰＰ等のプラスチックが考えられる。【００１２】  汚れ落し部３０は端部に向かって板厚を漸減させ、最端部は鋭角の刃状の削り部３１に形成し、清掃しようとする角部の形状に合わせた複数の汚れ落し部３０を有している。例えば、平面図で見て削り部３１を平らにしたり、円形にしたり、尖らせたりして、清掃しようとする部位の形状に対応するようにしてある。このような形状にすると特に角部を清掃するのに適しているが、先を平らにした場合は平坦な部分の清掃にも適用することができる。【００１３】  本体部２０は略円形の外周を有し、この外周に複数の凹部２１を設け、線状の部材に付いた汚れを落とせるようにしてある。本体部２０には孔２２が設けられ、材料節約に供するようにし、ストラップを取付ける取付け孔としても利用できるようにしてある。【００１４】  図３は第二の実施例であり、本体部２０から汚れ落し部３０の外周にかけてリブ２３を設けて、剛性を維持し、手触りを優しくしながら材料節約を図っている。本体部２０の中央には、ペットボトル等のキャップに嵌合するセレーションを有する孔を設け、キャップオープナー２４としての機能を持たせている。【００１５】  図４は第三の実施例であり、汚れ落し部３０の側方に複数の線材清掃部３２を設けたものであり、焼き網グリル等の線材の汚れ落しに使用することができる。グリルの線径は種々あるので、これに合わせた形状の線材清掃部３２を複数設けてある。
【産業上の利用可能性】
【００１６】  この発明は、台所、浴室、洗面所、トイレ等の特に水回りの設備や用品の頑固な汚れを落とす汚れ落し具であるが、一般の手作業にも利用することができる。
【符号の説明】
【００１７】１０は汚れ落し具
２０は本体部
２１は凹部
２２は孔
２３はリブ
２４はキャップオープナー
３０は汚れ落し部
３１は削り部
３２は線材清掃部
【図１】
2019166292.tif 000003
【図２】
2019166292.tif 000004
【図３】
2019166292.tif 000005
【図４】
2019166292.tif 000006
【図５】
2019166292.tif 000007
(57)【要約】【課題】  コーヒーカップの上で高品質のコーヒーを抽出できるような高速化と安定の実現。【解決手段】  外側のフィルターに挟まれる圧着させたフィルターの質と安定が効果的。【選択図】図４
2019166291.tif 000002
【特許請求の範囲】
【請求項１】
紙の吸水力を利用するコーヒー用ペーパーフィルターを製作する際、外側のペーパーフィルター１枚と吸水のために圧着されたペーパーフィルター複数枚を重ね合わせてより効果的コーヒーの抽出をおこなう事。
【発明の詳細な説明】
【技術分野】
【０００１】      紙の吸水力を利用して、コーヒーカップの上で高温度かつ高品質のコーヒーを抽出を実現する新型コーヒー用ペーパーフィルター。
【背景技術】
【０００２】      紙の吸水力を利用するコーヒーフィルターの効果は私自身の記述した平成１０年の特開平１０−３１４０３６にて公開されており特筆する必要がないものの、実用化、実現化させるためのこの先の技術が存在していない。
【非特許文献１】特開平１０−３１４０３６
【発明の概要】
【発明が解決しようとする課題】
【０００３】    本来のコーヒー用ペーパーフィルターを基準に考慮すると、コーヒーカップに直接載せて抽出すると特に抽出の後半にスピードが落ちて温度も鮮度も低下してしまう。
【課題を解決するための手段】
【０００４】    紙の吸水効果をより長く持続させるために、吸水のための圧着部分を複数枚、重ねて使用することを可能にし、接着あるいは圧着させ固定する部分が抽出の妨げにならないような選択している。
【発明の効果】
【０００５】    ペーパーフィルターにおいて極限までの高速化が実現したと言える。家庭でコーヒーカップに直接載せることが目標であるため、十分な成果が実現している。
【図面の簡単な説明】
【０００６】
【図１】  外側のフィルター
【図２】  吸水のために作られた圧着部分と固定すするために作られた部分
【図３】  外側のフィルターに吸水のための圧着部分をはめた所
【図４】  接着あるいは圧着して吸水部分を固定した所
【図５】  完成図
【発明を実施するための形態】
【０００７】  外側のペーパーフィルターの原型である長方形の中央内側に、吸水のための圧着フィルターを挟むため山形に折り込む。
【０００８】  別で作った吸水のための圧着フィルターを挟む。
【０００９】  吸水のためのフィルターが落下しないように両端で接着あるいは圧着して固定する。
【００１０】  本来のコーヒー用ペーパーフィルターの形にする。
【符号の説明】
【００１１】  １  外側のフィルター
２  吸水のために作らた部分
３  吸水のために作られた圧着部分
４  吸水のための部分を接着あるいは圧着した所
【図１】
2019166291.tif 000003
【図２】
2019166291.tif 000004
【図３】
2019166291.tif 000005
【図４】
2019166291.tif 000006
【図５】
2019166291.tif 000007
(57)【要約】      （修正有）【課題】手を置けば披労もなく塗りからマニキュアの乾燥迄の長時間、マッサージ突起もあり楽しみながら使用できるマニキュア台を提供する。【解決手段】手１の指のネイルケア時に、手の平を載せる台であって、手の載置面を指先に向って漸次上向きに傾斜する饅頭型の台を形成したことを特徴とするマニキュア台５で、マニキュア台５に碁盤状の突起７を付加することで、手のひらのマッサージを効果的にする。【選択図】図１
2019166298.tif 000002
【特許請求の範囲】
【請求項１】
手の指のネイルケア時に前記指で掴むように手の平を載せる台であって前記手の平の載置面を指に向って漸次上向きに傾斜する饅頭型．の台を形成したことを特徴とするマニキュア台。
【請求項２】
前記載置面の指先側の端部の傾斜角度を下向きにして、大きく形成したことを、特徴とする請求項１に記載のマニキュア台。
【請求項３】
前記マニキュア台に碁盤状の突起を付加することで、手の平のマッサージ効果を付与する請求項１又は請求項２に記載のマニュキア台
【発明の詳細な説明】
【技術分野】
【０００１】本発明はマニキュア台に関する
【背景技術】
【０００２】本発明は、饅頭型のマニキュア台は指先に向って、漸次上向きに、傾斜する硬質ゴム製の饅頭型の表面に硬質ゴムの突起を付加することで手の内側のマッサージを効果的にするマニキュア台。
【先行技術文献】
【特許文献】
【０００３】
【特許文献１】特開２００１−２２４４２５
【特許文献２】ＪＰ  ２００８−９３３７１
【発明の概要】
【発明が解決しようとする課題】
【０００４】本発明は、爪にマニキュアを施す場合一般に、一方のの指先側を定位置に保持したまま、、他方の手にマニキュア収納ビンのキャップを持ち、そのキャップに付いたブラシを用いて、爪を保護するマニキュアに付いで、この下地上に好みの色のカラーポリッシュを同時に塗布するさらに、カラポリッシュを同様に塗布する。さらに、カラーポリシュが完全に乾燥するのを待って、光沢を与える仕上剤をカラーコート上に重ねて塗布している。
【課題を解決する為の手段】
【０００５】手の指のネイルケア時に前記の指を載せる指であって、前記手の記載面を指先に向って漸次上面きに傾斜する饅頭型の形成したことを特徴とするマニキュア台。
前記載面の指先側端部の傾斜角度の饅頭型に大きく形成したことを特徴とするマニキュア台。
マニキュア台に碁盤状の突起を付加することで、手のひらのマッサージを効果的にするマニキュア台。
【図面の簡単な説明】
【０００６】
【図１】本発明の全体構成のマニキュア台マニキュアを塗布する図
【図２】本発明の饅頭型の手のひら置きマニキュア台
【図３】本発明の指置台の断面図の指置台
【発明を実施するための形態】
【０００７】１は女性の手及び指の爪
２は塗る手がマニキュアを塗布する手指
３はマニキュアを掴む指
４はマニキュア本体
５は饅頭型手置き台（硬質ゴム材）
６は女性の爪
７は硬質ゴムの突起
８は女性の指置場凹部分
【実施例】
【０００８】本発明は以外マニキュアを塗布する構成はあるが、手を平面上に置く為長時間は披労が畜積されるが、本発明は饅頭型の構成であるため、手を楽に乗せることができ、披労が軽減されるマニキュア台。
図１  本発明の使用例を示す手の平の配置の状態図１、図２で表わしている
図２  本発明の例で示す図である。Ａ−Ａ′断面Ａを図３に示す指がおかれるところはへこみ型で持ち易い
【符号の説明】
【０００９】１  女性の手
２  マニキュアを塗布する手
３  マニキュアを掴む指
４  マニキュア本体
５  マニキュア台の饅頭の手の平置き台
６  女性の爪
７  マニキュア台本体に接着している碁盤状突起
８  マニキュア台本体の設置面
【図１】
2019166298.tif 000003
【図２】
2019166298.tif 000004
【図３】
2019166298.tif 000005
(57)【要約】【課題】どのようなダイスの歯溝のねじれ角度にも対応できるよう、食い付き部、仕上げ部といった形状変化を設けない歯面が平坦な平ダイスを用いた転造加工を可能にする。【解決手段】  傾動可能に設置した平ダイスを被転造物に接触する前は傾斜した状態で維持しておき、平ダイスが被転造物に食い込んでいくにしたがって傾斜した状態から歯面が平行となるよう傾動させ、平行になった状態に固定したダイス間で被転造物を回転させることにより、転造加工を行う。このことにより、歯面が平坦な平ダイスをどのようなダイスの歯溝のねじれ角度にでも設定して転造加工を行うことができる。 【選択図】図１
2019063850.tif 000002
【特許請求の範囲】
【請求項１】
傾動可能に設置した平ダイスを被転造物に接触する前は傾斜した状態で維持しておき、平ダイスが被転造物に食い込んでいくにしたがって傾斜した状態から歯面が進行方向に対して平行となるよう傾動させ、平行になった状態に固定したダイス間で被転造物を回転させることにより、ダイス形状を被転造物に転写する転造加工方法。
【発明の詳細な説明】
【技術分野】
【０００１】
本発明は、ダイスの歯溝のねじれ角度変更への対応が容易にできる転造加工方法に関するものである。
【背景技術】
【０００２】
転造加工方法の中で平ダイスによる加工においては、通常被転造物にダイスの歯が徐々に食い込んでいく食い付き部と、希望する転造形状を形成する仕上げ部が設けられており、ダイスの歯溝のねじれ角度は、被転造物の諸元であるモジュール、有効径などから計算され決定されている。
【０００３】
しかし、ダイスの歯溝のねじれ角度の決定によっては転造時に被転造物が軸方向に動いてしまうという歩み現象が生じるためにダイスの歯溝のねじれ角度の微調整が必要となったり、設計変更により有効径の変更、乗数の変更、ねじれの向きの変更等があった場合全く違うダイスの歯溝のねじれ角度を設定しなおさなくてはならないため、その都度ダイスを製作し直さなければならない、という欠点があった。
【０００４】
ダイス製作は専門技術が必要であり、さらに時間とコストがかかるものであるため、簡単に製作し直すことはできないという問題があった。
【０００５】
この改善策として、ダイスの固定されているコラムを回転可能とし、転造中の被転造物の径の変化に対応したねじれ角度に補正して被転造物の軸方向の歩みを制御するという技術が考案されているが、新たな設備投資をしなければならない。しかしながらこの方法でも、設計変更による有効径の変更、乗数の変更、ねじれの向きの変更等があった時の全く違うダイスの歯溝のねじれ角度を設定しなおさなくてはならない場合には対処できない。
【先行技術文献】
【特許文献】
【０００６】
【特許文献１】特開２００7−２９０００１号公報
【発明の概要】
【発明が解決しようとする課題】
【０００７】
解決しようとする問題点は、ダイスの歯溝のねじれ角度の微調整が必要になった場合、および全く違うダイスの歯溝のねじれ角度が必要になった場合にダイスを製作し直さなければならないという点である。
【課題を解決するための手段】
【０００８】
本発明は、どのようなダイスの歯溝のねじれ角度にも対応可能なように歯面が平坦に製作されている平ダイスを傾動可能にとりつけ、被転造物に食いつく段階では傾斜した状態に保持することにより食いつき部の役割を果たさせ、その後傾動させた平ダイス歯面がダイス進行方向に対して平行になった状態で固定することにより仕上げ部の役割を果たさせることを最も主要な特徴とする。
【発明の効果】
【０００９】
本発明の転造加工方法は、モジュール、圧力角、歯丈といった基本的な諸元が変わらなければダイスの歯溝のねじれ角度の調整は左右の向きも含めて自由に設定できるという利点がある。加えて、ダイスに食い付き部とか仕上げ部といった区別がないのでダイスの製作方法が簡単である。
【図面の簡単な説明】
【００１０】
【図１】図１は本発明の転造加工の実施方法を示した説明図である。
【図２】図２は１組の平ダイスのみで転造加工を行う方法を示した説明図である。（実施例１）
【図３】図３は複数組のダイスによって転造加工を行う方法を示した説明図である。（実施例２）
【発明を実施するための形態】
【００１１】
図１（a）に示すように平ダイスを傾動可能に取り付け、被転造物に接触するまでは自由端にばね等を設置することにより傾斜した状態で維持しておく。図１(b)に示すようにダイスを進行させ、ダイスが被転造物に食い込んでいくにしたがってダイス歯面を傾動させて、図１(c)に示すようにダイスの歯面が進行方向に対し平行となった状態で固定する。その状態で少なくとも被転造物を半回転させれば、そのダイス間で決まるダイス形状が被転造物に転写される。スムーズな転造を行うためには、１度の食い込み量を少なくしておいたほうがよいため、この工程を複数回行うことにより、目的の食い込み量を達成し転造加工を完了することができる。
【実施例１】
【００１２】
図２は、１組の平ダイスのみで転造加工を行う方法である。いったんダイスが進行方向に対して平行となり、被転造物に溝が形成されてしまえば、ダイスと被転造物の間の反発力はなくなり、ほとんど無負荷回転となる。図２(e)に示すようにその状態でダイスを逆方向に進行させてダイスが被転造物に食い込み始めた位置まで戻すと、ダイスと被転造物の間には食い込んだ量だけ隙間が生じている。図２(f)に示すようにこの隙間分だけダイス間距離を近づけて、代わりに生じたダイスとダイスホルダー間の隙間にシムを挿入する。図２(g)，(h)，(i)に示すようにその状態で再度転造加工を行えば、挿入したシム分だけダイスが被転造物に食い込むことになる。これを繰り返すことにより、任意の食い込み量の転造加工を行うことができる。実験はシムによって行ったが、ダイス間を任意に調整する方法は様々なものが考えられる。
【実施例２】
【００１３】
図３は、あらかじめダイス間距離を任意に設定しておいた複数組のダイスによって転造加工を行う方法である。この場合、実施例１のようにダイスを逆方向に戻したりダイス間距離調整を行う必要はなく、連続で複数組のダイス間で転造加工を行い、目的の食い込み量を達成し転造加工を完了することができる。また、この場合複数組のダイスは必ずしも同一形状である必要はなく、例えば最後の数組のみ形状を変更させることにより歯先Ｒや歯丈等の微調整を行うことも可能である。
【符号の説明】
【００１４】
１    被転造物
２    ダイス
３    ダイスホルダー
４    ばね
５    シム
【図１】
2019063850.tif 000003
【図２】
2019063850.tif 000004
【図３】
2019063850.tif 000005
【手続補正書】
【提出日】平成29年12月11日(2017.12.11)
【手続補正１】
【補正対象書類名】特許請求の範囲
【補正対象項目名】請求項１
【補正方法】変更
【補正の内容】
【請求項１】
被転造物を回転可能に支持し、被転造物の回転軸と平行な軸中心に傾動可能に設置した平ダイスを被転造物に接触する前は傾斜した状態で維持しておき、平ダイスが被転造物に食い込んでいくにしたがって傾斜した状態から歯面が進行方向に対して平行となるよう傾動させ、平行になった状態に固定したダイス間で被転造物を回転させることにより、ダイス形状を被転造物に転写する転造加工方法。
(57)【要約】      （修正有）【課題】本発明は、ねじを留めるときに、正確・安全に能率良く実施しようとするネジを固定させるための保持具を提供する。【解決手段】保持具本体（１）に二カ所の三点支持の加工をした中空状金属製パイプ（２）を設ける。・本体はしっかり保持できる持ち手をもった構造で、本体先端の三点の突起は中心点を容易に割りだすことができる。・ネジを支える凸部は金属製で板バネのような弾力を持たせてある。・ネジを支える部分は二箇所あり、下の部分はネジの先端を軸中央に保持、上の部分はネジ上部を軸の中心に保持し、ねじを取付面に対して垂直に立てる。・ねじ込んでいくとそれぞれが広がりネジの通過を妨げない。【選択図】図１
2019063976.tif 000002
【特許請求の範囲】
【請求項１】
持ち手とねじを保持させる中空状金属製パイプを収納する収納部からなる本体であり、
本体収納部に圧入する中空状パイプねじ保持具からなり、
収納部にはねじの中心を目的の場所に正確に導く３カ所の突起を設け、
中空状金属製パイプには、上下二カ所の円周上三カ所に切り込みをつくり、中央に向かって板バネの役目を持つ凸部によって三点保持の加工がしてあり、
ネジを支える下の部分はネジの先端を軸中央に三点保持、上の部分はネジ上部を軸の中心に三点保持し、ねじを取付面に対して垂直に立て、工具とねじを噛み合わせた状態でねじ込んでいくとそれぞれが広がりネジの通過を妨げない構造を持つことを特徴とするネジを固定させるための保持具。
【請求項２】
収納部の外側に３カ所の突起を付けたことを特徴とする請求項１記載のネジを固定させるための保持具。
【発明の詳細な説明】
【技術分野】
【０００１】本発明は、ネジを目的の場所に正確・安全に能率良く留めるための保持具に関するものである。
【背景技術】
【０００２】従来から、ネジ留め作業はねじを手で持って、工具を使って不安定な状態で作業をしていた。
なお、特許文献１のようにドライバーに保持具を使い、作業する方法もあった。
また、特許文献２のような保持具も知られている。
【先行技術文献】
【特許文献】
【０００３】
【特許文献１】実用新案登録第３１９０３４４号公報
【特許文献２】特開平１１−３３３７４６号公報
【発明の概要】
【発明が解決しようとする課題】  特許文献１では、弾力性のある筒でねじを固定させ作業することはできるが、長いねじの場合は不安定な状態で工具を使うことになり、まがって取り付けてしまうという欠点があった。
また特許文献２では、保持具が金属のフレキシブルな構造になっており、先端部の凸部が外側に向いているので、回転する時に怪我をするという欠点がある。
本発明は、以上の問題点を解決するものである。
【課題を解決するための手段】
【０００５】  保持具本体（１）に、中空状金属製パイプの上下二カ所に、円周上三カ所に切り込みをつくり、中央に向かって板バネの役目を持つ凸部によって三点保持の加工がしてある中空状金属製パイプ（２）を設ける。
・本体はしっかり保持できる持ち手をもった構造で、本体先端の三点の突起は中心点を容易に割りだすことができる。
・ネジを支える部分は中空状金属製パイプで、上下二カ所の円周上三カ所に切り込みをつくり、中央に向かって板バネの役目を持つ凸部によって三点保持の加工がしてある。
・ネジを支える下の部分はネジの先端を軸中央に三点保持し、上の部分はネジ上部を軸の中心に三点保持、ねじを取付面に対して垂直に立てる。
・中空状金属製パイプは、中間に切り込みを入れる三点支持の加工が難しいので、下方からの切り込みで三点支持加工した同じ製品を上下二連にしてある。
・ねじ込んでいくとそれぞれが広がりネジの通過を妨げない。
本発明は、以上の構成よりなるネジを固定させるための保持具である。【０００６】  また、上述した実施形態の中空状金属製パイプと本体は、２部材によって構成されているが、本体で一体的に作成できるのであれば、一部材によって構成してもよい。【０００７】  また、上述した実施形態においては、三点突起がある保持具を説明したが、それに限らず、例えば狭い場所用に対応させた、突起のない保持具にしてもよい。
【発明の効果】
【０００８】  ねじの種類・サイズ・材質を選ばず、不安定さをなくし、取付位置も正確に割り出せねじが、取付面に対して垂直に立っているので、ねじ頭部の凹部を潰すこともなくなるので、安全で能率良く作業ができる。
【図面の簡単な説明】
【０００９】
【図１】  本発明の本体の断面図である。
【図２】  本発明の分解斜視図である。
【図３】  本発明の斜視図と底面斜視図である。
【図４】  本発明の中空状金属製パイプ斜視図と中空状金属製パイプ底面斜視図である。
【図５】  本発明の構成を示す説明図である。
【発明の実施をするための形態】
【０００１０】以下、本発明の実施の形態を説明する。
・持ち手とねじを保持させる中空状金属製パイプを収納する収納部からなる本体であり、本体収納部に圧入した中空状金属製パイプねじ保持具である。
・本体には、ねじの中心を目的の場所に正確に導く３カ所の突起がある。
・中空状金属製パイプには、上下二カ所の円周上三カ所に切り込みをつくり、中央に向かって板バネの役目を持つ凸部によって三点保持の加工がしてある。
・ネジを支える下の部分はネジの先端を軸中央に三点保持、上の部分はネジ上部を軸の中心に三点保持し、ねじを取付面に対して垂直に立てる。
・工具とねじを噛み合わせた状態でねじ込んでいくと、それぞれが広がりネジの通過を妨げない構造を持つ。
・ねじの種類・サイズ、材質を選ばない
本発明は、以上のような構造である。
本発明を使用するときは、本体を持ってねじを上部から差し込み、三点突起で中心を割り出して工具で廻せば正確・安全に留めることができ、ねじの種類・サイズ、材質を選ばないで安心して作業ができる。
【符号の説明】
【０００１１】１  本体
２  中空状金属製パイプ
３  ねじ
４  ねじの取付部
５  突起
６  凸部
【図１】
2019063976.tif 000003
【図２】
2019063976.tif 000004
【図３】
2019063976.tif 000005
【図４】
2019063976.tif 000006
【図５】
2019063976.tif 000007
(57)【要約】【課題】従来のキッチンスポンジは都度洗剤を付けて洗う必要があり洗剤の過度な使用や、直接洗剤に触れることによる手荒れの原因、長細いコップなどの洗浄に手が届かないなどの問題点があった。【解決手段】本発明は、キッチンスポンジに洗剤を入れることができる取っ手を付けることにより、洗剤の付いたキッチンスポンジに直接触れることなく食器を洗うことができ、水や洗剤による手荒れを防ぎ、細長いコップなどの食器洗浄を容易にするという特徴を要する他、取っ手からスポンジへの洗剤の注入をコントロールすることにより洗剤の効率的使用を促す。また、取っ手を立てれる形状にすることにより、置いておくだけでキッチンスポンジの水切りができるようにする。【選択図】図１
2019063288.tif 000002
【特許請求の範囲】
【請求項１】
キッチンスポンジにプラスチックの取っ手とのプラスチックの接続部分を付けることにより、取っ手を付けることができる。取っ手を取り外しができるようにすることにより使い古したキッチンスポンジを交換できる。
【請求項２】
取っ手部分を空洞にして洗剤を入れることが可能にする。取っ手の先端部分にはキッチンスポンジとの接続部分がついており、洗剤のスポンジへの注入の量をコントロールできる調整弁をつける。
【発明の詳細な説明】
【技術分野】
【０００１】
本発明は、キッチンスポンジに洗剤を入れることができる取っ手を付けることにより、手荒れを防ぎ、食器洗浄を容易にするものである。
【背景技術】
【０００２】
従来のキッチンスポンジは都度洗剤を付けて洗う必要があり洗剤の付けすぎや、直接洗剤に触れることによる手荒れの原因となったり、長細いコップの底の洗うのができなかったりという問題点がある。またキッチンスポンジの水切りの受け皿を用意する必要がある。
【発明の概要】
【発明が解決しようとする課題】
【０００３】
解決しようとする問題点は、従来のキッチンスポンジでの都度洗剤を付けることによる過度な洗剤の使用、直接洗剤に触れることによる手荒れの原因、手が届かない細長いコップなどの食器の洗浄、洗浄後のスポンジの置き場所といった点である。
【課題を解決するための手段】
【０００４】
本発明は、キッチンスポンジに洗剤を入れることのできる取っ手を付けることを主要な特徴とする。
【発明の効果】
【０００５】
本発明は、キッチンスポンジに洗剤を入れることができる取っ手を付けることにより、洗剤の付いたキッチンスポンジを直接触れることなく食器を洗うことができ、水や洗剤による手荒れを防ぎ、細長いコップなどの食器洗浄を容易にするという特徴を要する他、取っ手からスポンジへの洗剤の注入をコントロールすることにより洗剤の効率的使用を促す。また、取っ手を立てれる形状にすることにより、置いておくだけでキッチンスポンジの水切りができるようにする。
【図面の簡単な説明】
【０００６】
【図１】本発明の外観図
【図２】キッチンスポンジの外観図
【図３】洗剤補充型の取っ手の外観図
【図１】
2019063288.tif 000003
【図２】
2019063288.tif 000004
【図３】
2019063288.tif 000005
(57)【要約】【課題】歯磨きの後に歯間ブラシを使用しようとすると収納がバラバラで探すのに時間を要していたために歯ブラシ収納部と歯間ブラシ収納部を一つの収納部本体に収めた歯ブラシ＆歯間ブラシスタンドを提供する。【解決手段】収納部本体は歯ブラシ収納部と歯間ブラシ収納部から構成し、歯ブラシ収納部の上面に歯ブラシ挿入開口部を設け、歯ブラシ収納部の前面下方に歯間ブラシ収納部を設けたことを特徴とする歯ブラシ＆歯間ブラシスタンド。【選択図】図２
2019063463.tif 000002
【特許請求の範囲】
【請求項１】
収納部本体は、歯ブラシ収納部と歯間ブラシ収納部から構成し、歯ブラシ収納部の上面に歯ブラシ挿入開口部を設け、歯ブラシ収納部の前面下方に歯間ブラシ収納部を設けた、歯ブラシ＆歯間ブラシスタンド。
【発明の詳細な説明】
【技術分野】
【０００１】  本発明は、歯磨きの後に歯間ブラシを使用しようとすると収納がバラバラで探すのに時間を要していたために歯ブラシ収納部と歯間ブラシ収納部を一つの収納部本体に収めた歯ブラシ＆歯間ブラシスタンドに関するものである。
【背景技術】
【０００２】  従来、歯ブラシを収納するスタンドは歯ブラシだけの収納をするためのスタンドであった。
また、特許文献１には歯ブラシと補助的清掃用具の保管装置があり歯ブラシのキャップに歯間ブラシホルダーを付与することでキャップを介して歯ブラシと歯間ブラシを一組としている歯ブラシスタンドの発明があった。（特許文献１参照）
【先行技術文献】
【特許文献】
【０００３】
【特許文献１】特開２００４−２４３０７２号公報
【発明の概要】
【発明が解決しようとする課題】
【０００４】  特許文献１では歯ブラシのキャップに歯間ブラシホルダーを付与することでキャップを介して歯ブラシと歯間ブラシを一組としている。歯ブラシスタンドは二組の歯ブラシスタンド部とデンタルフロスの収納部を備えている。
そのため、次のような問題点があった。
（イ）歯ブラシと歯間ブラシを一つにした収納部は無かった。
（ロ）特許文献１では歯ブラシと歯間ブラシを一組として二組の保管しかなく一般的な家      族構成を考えると不足している。
（ハ）歯間ブラシはメーカーによりサイズがまちまちでブラシの形状や柄の短いものと長      いものがある。
（ニ）歯間ブラシは小さくて収納場所がないので困っていた。更にそれぞれが適当な場所      に置くため散乱していた。
（ホ）自分の歯ブラシ、歯間ブラシを別々に探すために時間を費やしていた。
本発明は、これらの問題点を解決するためになされたものである。
【課題を解決するための手段】
【０００５】  （イ）収納部本体は、歯ブラシ収納部と歯間ブラシ収納部から構成されている。
（ロ）歯ブラシ収納部の上面に歯ブラシ挿入開口部を設ける。
（ハ）歯ブラシ収納部の前面下方に歯間ブラシ収納部を設ける。
以上のように構成された歯ブラシ＆歯間ブラシスタンドである。
【発明の効果】
【０００６】（イ）歯ブラシと歯間ブラシの収納を一つのスタンドに収めることで歯間ブラシの散乱を免れて衛生管理ができる。
（ロ）歯ブラシの挿入開口部は例えば丸、三角、四角、少し大きめの丸の形状として使い分けることができるので、自分の歯ブラシと歯間ブラシがどこにあるか分かるようになった。
（ハ）歯間ブラシは柄の短いものと長いものに分けて収納ができ、歯ブラシと比べて頻繁に交換するため予備の保管ができるので整理して収納することが可能になった。
（ニ）収納部本体の前面下端と後全面は解放されているため、掃除と乾燥がしやすく衛生管理ができる。
【図面の簡単な説明】
【０００７】
【図１】  本発明の斜視図である。
【図２】  本発明の使用状態図である。
【図３】  本発明の平面図である。
【発明を実施するための形態】
【０００８】以下、本発明の実施の形態について説明する。
（イ）本発明の本体は、歯ブラシ収納部（１）と柄の短い歯間ブラシ収納部（６）と柄の長い歯間ブラシ収納部（７）から構成されている。
（ロ）歯ブラシ収納部（１）の上面には丸い歯ブラシ挿入開口部（２）、三角の歯ブラシ挿入開口部（３）、四角の歯ブラシ挿入開口部（４）、少し大きめの丸い歯ブラシ挿入開口部（５）を設け、各々の歯ブラシ挿入開口部（２）（３）（４）（５）に歯ブラシ（８）の柄から挿入することによって、歯ブラシ（８）が立てかけられる。
（ハ）実施例として例えば本発明に示したように○△□○の形状にしたが、これは誰の歯ブラシであるか分かるようにしたものである。
（ニ）歯ブラシ収納部（１）の前面下方部に短い歯間ブラシ収納部（６）が設けられている。この短い歯間ブラシ収納部（６）には短い歯間ブラシ（９）の柄を上から挿入出来、立てかけられ挿入口は複数設けられている。
（ホ）短い歯間ブラシ収納部（６）の横に長い歯間ブラシ収納部（７）が設けられていて、長い歯間ブラシ（１０）の柄を上から挿入し立てかけられ、挿入口は複数設けられている。
本発明は以上のような構成である。
【０００９】本発明を使用するときは、本体を皆が取り出せるような場所に置いて歯ブラシ（８）と短い歯間ブラシ（９）と長い歯間ブラシ（１０）をセットにした状態で収納しておく。歯ブラシ（８）を使用する時は歯ブラシ収納部（１）より取り出して歯磨きをして、終わったら元の場所に収納しておく。歯間ブラシ（９）（１０）も同様にして収納する。歯間ブラシの挿入口も○△□○のように使用してもよい。又、舌ブラシ（１１）の収納もできる。
【符号の説明】
【００１０】  １歯ブラシ収納部、  ２歯ブラシ挿入開口部（丸）、  ３歯ブラシ挿入開口部（三角）  ４歯ブラシ挿入開口部（四角）、  ５歯ブラシ挿入開口部（少し大きめの丸）
６柄の短い歯間ブラシ収納部、  ７柄の長い歯間ブラシ収納部、  ８歯ブラシ
９短い歯間ブラシ、  １０長い歯間ブラシ、  １１舌ブラシ
【図１】
2019063463.tif 000003
【図２】
2019063463.tif 000004
【図３】
2019063463.tif 000005
(57)【要約】【課題】インスタントラーメンのトッピングの味玉を作る際、ゆで卵を醤油などで配合した調味液に浸さなければならず、手間がかかった。また、チキンラーメンの半熟卵を作る際、麺の上の生卵にお湯をかけた際、卵が崩れたり、温度が低い時には半熟にならないという事があった。本発明は、インスタントラーメンを作る際、卵の調理も出来るという、卵ポケットがついたラーメンどんぶりを提供する。【解決手段】ラーメンどんぶり（１）の底に半円の窪み（２）を設けたことを特徴とする、卵ポケットがついたラーメンどんぶり。【選択図】図１
2019063464.tif 000002
【特許請求の範囲】
【請求項１】
ラーメンどんぶり（１）の底に半円の窪み（２）を設けたことを特徴とする、卵ポケットがついたラーメンどんぶり。
【発明の詳細な説明】
【技術分野】
【０００１】  本発明は、インスタントラーメンを作る際、卵の調理も出来る、ラーメンどんぶりに関するものである。
【背景技術】
【０００２】  従来、ラーメンのトッピングの味玉は、ラーメン作りとは別に、ゆで卵を容器等に入った調味液に漬けて用意するという事が一般的であった。また、チキンラーメンの上に生卵を乗せてお湯をかけて調理する際、卵が崩れたり、温度が低いと半熟にならないことがあった。
【発明の概要】
【発明が解決しようとする課題】
【０００３】  従来の卵のトッピングの調理には、次のような欠点があった。
（イ）味玉を作る際、ゆで卵を醤油などで配合した調味液に浸すなど、手間がかかった。
（ロ）チキンラーメンの半熟卵を作る際、麺の上の生卵にお湯をかけた時、卵が崩れたり、温度が低い時には半熟にならないという事があった。
本発明は、これらの問題を解決するためになされたものである。
【課題を解決するための手段】
【０００４】      ラーメンどんぶり（１）の底に半円の窪み（２）を設ける。
【発明の効果】
【０００５】  本発明は、どんぶりの窪みの部分に、インスタントラーメンの付属のスープの素とゆで卵を入れて馴染ませ暫くおくと、簡単に味玉ができる。窪みのカーブとゆで卵の曲面が合うので、少量のスープの素でも十分に味が回る。また、調理したラーメンをお湯ごと入れれば、従来通りのスープができるので、手間がかからない。
また、本発明は、チキンラーメンを作る際、窪みの部分に生卵を入れ、その上にチキンラーメンを逆さに乗せてお湯を注ぐと、卵の空間が出来るので、卵が崩れにくく、卵全体にお湯が浸かるので、上手に半熟卵が出来る。
【図面の簡単な説明】
【０００６】
【図１】本発明の断面図
【図２】本発明の使用図
【図３】本発明の使用図
【発明を実施するための形態】
【０００７】  以下、本発明の実施の形態を説明する。
（イ）ラーメンどんぶり（１）の底に半円の窪み（２）を設ける。窪み部分（２）にラーメンの付属のスープの素（３）と、ゆで卵（４）を入れて馴染ませ暫くおく。調理したラーメンをお湯ごと注ぐ。
（ロ）半円の窪み（２）に生卵（５）を入れ、その上にチキンラーメン（６）を逆さに入れ、お湯を注ぎ、蓋をする。
【符号の説明】
【０００８】１  ラーメンどんぶり
２  半円の窪み
３  スープの素
４  ゆで卵
５  生卵
６  チキンラーメン
【図１】
2019063464.tif 000003
【図２】
2019063464.tif 000004
【図３】
2019063464.tif 000005
(57)【要約】【課題】  本考案は障害を持っている方や握力の弱い方が、片手に紙や布などを持って自由自在に切ることができるハサミを提供する。【解決手段】  ハサミ１の持ち手の片方を固定側ハサミの固定具２で固定して、もう片方の持ち手に取付けた、可動ハサミの取付け具３に上下運動をするためのワイヤー４や連結棒１３などで連結するこにより、ペダル６を踏むことでハサミ１を動かして、片手に紙や布などを持って、自由自在に切ることができることを特徴とした足踏みハサミ。【選択図】図１
2019063465.tif 000002
【特許請求の範囲】
【請求項１】
ハサミの持ち手の片方を固定して、ハサミのもう片方にワイヤーの元を取付ける。ワイヤーの先端をペダルに取付けて連結することにより、ペダルを踏んでハサミを動かすことを特徴とした足踏みハサミ。
【請求項２】
ハサミの持ち手の片方を固定して、ハサミのもう片方に連結棒の先端を取付ける。もう片方の連結棒をペダルに取付けることにより、ペダルを踏んでハサミを動かすことを特徴とした足踏みハサミ。
【発明の詳細な説明】
【技術分野】
【０００１】  本考案はハサミを足で動かして、紙や布などを切ることができる足踏みハサミに関するものである。
【背景技術】
【０００２】  従来からのハサミは手で握り動かして切るものであり、また福祉ハサミなどでは紙を固定してハサミで切る物や、ハサミの片方を固定してもう片方を腕や手で動かして切るものであり、障害を持っている方や握力の弱い方が自由自在に紙などを切ることができなかったため、片手だけで紙などを自由に動かして直線や曲線もきることができるハサミが必要であった。
【発明の概要】
【発明が解決しようとする課題】
【０００３】  本考案のハサミは片手で紙などを自由に動かし、直線や曲線、２枚３枚重ねた紙などをペダルを踏むことによって容易に切ることができる足踏みハサミを提供することである。
【課題を解決するための手段】
【０００４】  本考案は上記の課題を解決するために、ハサミの持ち手の片方を固定して、もう片方に上下運動をするためのワイヤーや連結棒を取付ける。足踏みにするためのペダルにワイヤーや連結棒を取付けることにより、ペダルを踏むと容易にハサミを動かすことができるようにすることを特徴とする。
【発明の効果】
【０００５】  ペダルを踏むことでハサミを動かして紙や布などを切ることができることで、障害を持っている方や握力の弱い方が片手で紙などを動かし、連続に自由自在に切ることができる。そのことによって、今まで紙をハサミにはさんで１回ずつ切るといったこともなく、容易に切ることができるようになり、可能性を広げることができる。
【図面の簡単な説明】
【０００６】
【図１】本発明の動作と効果を示す見取り図である。
【図２】異なる実施例を示す動作の見取り図である。
【発明を実施するための形態】
【０００７】  請求項１により、図１に示すように、ハサミ１の持ち手の片方を固定側ハサミの固定具２で固定して、もう片方の持ち手に取付けた、可動側ハサミのワイヤー取付け具３にワイヤー４の元を取付ける。
ワイヤー４の先端をペダル６に取付けて連結することにより、ペダル６を踏むことでハサミ１を動かして、紙などを切ることができる。
【０００８】  本考請求項２により、図２に示すように、ハサミ１の持ち手の片方を固定側ハサミの固定具２で固定して、もう片方の持ち手に取付けた、可動側ハサミの取付け具３に連結棒１３の先端を取付ける。
連結棒１３のあと片方の先端をペダル６に取付けて連結することにより、ペダル６を踏むことでハサミ１を動かして紙などを切ることができる。
【符号の説明】
【０００９】  １  ハサミ
２  固定側ハサミの固定具とワイヤー取付け具
３  可動側ハサミのワイヤー取付け具
４  ワイヤーとワイヤーアウター
５  ペダル側のワイヤー取付け具
６  ペダル
７  ハサミ戻しバネ
８  紙置き台と安全ガイド
９  ハサミ部取付け台
１０  ハサミベース
１１  ペダルベース
１２  ハサミケース
１３  連結棒
【図１】
2019063465.tif 000003
【図２】
2019063465.tif 000004
(57)【要約】      （修正有）【課題】先端を丸くし、歯を傷つけない探針を提供することを課題とする。【解決手段】歯科用診療に用いる探針の形状は、持ち手（１）と保持部（２）と探針部（３）の構造を持つが、本発明では、前記課題を解決するために、探針部（３）にかけて連続性に丸く加工し、先端Ｒは０．１０〜０．４０ｍｍの球状を維持している。この範囲にあれば、歯を傷つけにくい。また、先端のみ研磨しており弯曲の形状を変えていないので、診察には影響を与えないことを特徴とする。【選択図】図２
2019063459.tif 000002
【特許請求の範囲】
【請求項１】
持ち手（１）と保持部（２）と探針部（３）の構造を持った歯科用探針で、探針部（３）の先端の形状をＲ０．１〜０．４ｍｍの範囲の半球状にした歯科用探針である。
【請求項２】
探針部（３）は、Ｒ８〜１８ｍｍの円弧上に湾曲している、請求項１に記載する歯科用探針である。
【発明の詳細な説明】
【技術分野】
【０００１】この発明は、歯科診療で触診等に用いる歯科用探針の形状に関する。
【背景技術】
【０００２】従来の歯科用診療に用いる探針の形状は、図２に示すように、持ち手（１）と保持部（２）と探針部（３）の構造を持ち、探針部（３）の先端を鋭利に加工されたものである。
【先行技術文献】
【特許文献】
【０００３】なし
【発明の概要】
【発明が解決しようとする課題】
【０００４】しかしながら、以上の技術によれば、先のとがったもので歯をつつくと再石灰化の可能性が残っている初期の虫歯や、幼児、児童の柔らかい歯まで傷つけてしまう恐れがある。更に、探針はステンレス製で、繰り返し洗浄、滅菌して再使用するものであり、洗浄時、洗浄器に接触し、微妙に先端が弯曲しても肉眼ではわからなく、歯を傷つけてしまうことがある。
この発明は、先端を丸くし、歯を傷つけない探針を提供することを課題とする。
【課題を解決するための手段】
【０００５】以上の課題を解決するために、先端を研磨し、丸くし、柔らかい歯、歯茎を傷つけないことを特徴とする探針である。探針部（３）にかけて連続性に丸く加工し  先端Ｒは０．１０〜０．４０ｍｍの球状を維持している。この範囲にあれば、歯を傷つけにくい。この範囲を超えると患部細部の検査ができない。また、先端のみ研磨しており弯曲の形状を変えていないので、診察には影響を与えないことを特徴とする探針である。
【発明の効果】
【０００６】先端を丸くすることで変形を避ける事ができ、安全性が高まる。
歯科診療で歯を傷つけにくく、安心して患部の状態を確認できるので、より正確な診療ができる。
【図面の簡単な説明】
【０００７】
【図１】本発明の斜視図（Ａ）である。（Ｂ）は先端部（３）の拡大図である。
【図２】（Ａ）は本発明の正面図である。（Ｂ）は従来の探針の正面図である
【図３】（Ａ）は本発明の正面図である。（Ｂ）は従来の探針の正面図である
【図４】本発明の平面図である。
【発明を実施するための形態】
【０００８】この発明を実施するための形態について説明する。
探針の本体はステンレス製である。角柱の持ち手（１）の先端部から直径が徐々に小さくなり、その先端に円錐状に形成された保持部（２）があり、徐々に細くなり、Ｒ８〜１８ｍｍの円弧上に弯曲し、探針部（３）を丸く加工してある。
探針部（３）にかけて連続性に丸く加工し  先端Ｒは０．１０〜０．４０ｍｍの球状を維持している。しかし、この範囲を超えると患部細部の検査ができない。
【０００９】「実施形態の効果」
この実施形態によれば、探針部（３）の働きで、治療する際に歯を傷つけにくい。
【符号の説明】
【０００１０】１  持ち手
２  保持部
３  探針部
【図１】
2019063459.tif 000003
【図２】
2019063459.tif 000004
【図３】
2019063459.tif 000005
【図４】
2019063459.tif 000006
(57)【要約】【課題】  外出先でトイレを借りた時トイレットペーパーが無くても困る事の無いようバックなどに入れておける携帯用トイレットペーパーコアレスの小巻を提供する。【解決手段】  家庭用トイレットペーパーを小巻（１）にし小袋（２）に入れた携帯用コアレストイレットペーパーである。必要な時に袋の中央取り出し口（３）から出し使用する。トイレに備えてある物から持ち歩く物として携帯用が、あるととても便利で助かる。【選択図】図１
2019010489.tif 000002
【特許請求の範囲】
【請求項１】
家庭用トイレットペーパーを小巻（１）にし小袋（２）に入れた携帯用コアレストイレットペーパー。
【発明の詳細な説明】
【技術分野】
【０００１】  家庭用トイレットペーパーを小巻にした携帯用コアレストイレットペーパーに関するものである。
【背景技術】
【０００２】  従来トイレットペーパーは、トイレに備えてある物だった。
【先行技術文献】
【特許文献】
【０００３】
【特許文献１】
【発明の概要】
【発明が解決しようとする課題】
【０００４】  トイレットペーパーはトイレに備えてある物なので、旅行や買い物など外出先でトイレを借りる時、トイレットペーパーが無く困る事がある。本発明は、これを無くすための物である。
【課題を解決するための手段】
【０００５】  家庭用トイレットペーパーを小巻（１）にし小袋（２）に入れた、携帯用コアレストイレットペーパーである。トイレに備えてある物から持ち歩く物として携帯用が有るととても便利で助かる。
【発明の効果】
【０００６】  外出先でトイレを借りた時トイレットペーパーが無くてもバックなどに自分のトイレットペーパーが有ると、つまる心配も無く安心して使用出来る。
【図面の簡単な説明】
【０００７】
【図１】  本発明の斜視図である。
【発明を実施するための形態】
【０００８】  家庭用トイレットペーパーを小巻（１）にし小袋（２）に入れた携帯用コアレストイレットペーパーである。必要な時に袋の中央取り出し口（３）から出し使用する。
【符号の説明】
【０００９】  １  コアレストイレットペーパー小巻
２  袋
３  取り出し口
【図１】
2019010489.tif 000003